(57)【特許請求の範囲】
【請求項１】
軸体と、前記軸体の先端に装着された刃とを有するナイフと、
前記軸体の先端に着脱可能に装着され、前記ナイフの前記刃を覆うキャップと、
前記キャップの差込口を有する基端が上方に位置するように前記キャップを着脱可能に取り付ける第１の取付部を有するケースと、
を備え、
前記ナイフの前記刃は、前記軸体の先端に着脱可能に装着され、前記ケースは、未使用または使用済みの前記刃を収容する収容部を有することを特徴とするナイフセット。
【請求項２】
前記第１の取付部は、前記キャップの先端が前記ケースの下面より下方に位置するように前記キャップを取付可能であることを特徴とする請求項１に記載のナイフセット。
【請求項３】
軸体と、前記軸体の先端に装着された刃とを有するナイフと、
前記軸体の先端に着脱可能に装着され、前記ナイフの前記刃を覆うキャップと、
前記キャップの差込口を有する基端が上方に位置するように前記キャップを着脱可能に取り付ける第１の取付部を有するケースと、
を備え、
前記第１の取付部は、前記キャップの先端が前記ケースの下面より下方に位置するように前記キャップを取付可能であることを特徴とするナイフセット。
【請求項４】
前記キャップの取付状態で、前記キャップの先端と前記ケースの下面の支持部とを配置面上に配置し、前記キャップを傾斜させて配置可能としたことを特徴とする請求項２または請求項３に記載のナイフセット。
【請求項５】
前記キャップの傾斜角度は、前記キャップに装着した前記ナイフの重心が、前記キャップの先端と前記ケースの支持部との間に位置するように設定されることを特徴とする請求項４に記載のナイフセット。
【請求項６】
前記第１の取付部は、前記ケースの上面から下面に向けて貫通した孔状であることを特徴とする請求項１乃至請求項５のいずれか１項に記載のナイフセット。
【請求項７】
前記第１の取付部は、前記キャップの取付方向に直交する方向に延びる第１挿通部と、前記第１挿通部に連通し前記第１挿通部より幅が小さい第２挿通部とを有し、前記第２挿通部の両側にガイド突部が形成されていることを特徴とする請求項６に記載のナイフセット。
【請求項８】
前記キャップは、前記ケースの前記第１の取付部への取付方向に沿って延び、前記ガイド突部が嵌合するガイド溝部を有することを特徴とする請求項７に記載のナイフセット。
【請求項９】
前記第１の取付部は、前記キャップの取付状態で前記キャップ内に位置し、前記差込口から前記キャップ内に差し込んだ前記ナイフに干渉して、前記ナイフが前記キャップの装着位置まで差し込まれることを阻止する干渉部を有することを特徴とする請求項１乃至請求項８のいずれか１項に記載のナイフセット。
【請求項１０】
軸体と、前記軸体の先端に装着された刃とを有するナイフと、
前記軸体の先端に着脱可能に装着され、前記ナイフの前記刃を覆うキャップと、
前記キャップの差込口を有する基端が上方に位置するように前記キャップを着脱可能に取り付ける第１の取付部を有するケースと、
を備え、
前記第１の取付部は、前記キャップの取付状態で前記キャップ内に位置し、前記差込口から前記キャップ内に差し込んだ前記ナイフに干渉して、前記ナイフが前記キャップの装着位置まで差し込まれることを阻止する干渉部を有することを特徴とするナイフセット。
【請求項１１】
前記ケースに、前記第１の取付部への前記キャップの取付方向に直交する方向を取付方向とした第２の取付部を設けたことを特徴とする請求項１乃至請求項１０のいずれか１項に記載のナイフセット。
【請求項１２】
軸体と、前記軸体の先端に装着された刃とを有するナイフと、
前記軸体の先端に着脱可能に装着され、前記ナイフの前記刃を覆うキャップと、
前記キャップの差込口を有する基端が上方に位置するように前記キャップを着脱可能に取り付ける第１の取付部を有するケースと、
を備え、
前記ケースに、前記第１の取付部への前記キャップの取付方向に直交する方向を取付方向とした第２の取付部を設けたことを特徴とするナイフセット。
【請求項１３】
軸体と、前記軸体の先端に装着された刃とを有し、前記軸体の先端に前記刃を覆うキャップを装着するナイフ用のケースであって、
前記キャップの差込口を有する基端が上方に位置するように前記キャップを着脱可能に取り付ける第１の取付部を設けるとともに、
前記軸体の先端に着脱可能に装着される前記ナイフの未使用または使用済みの前記刃を収容する収容部を設けた
ことを特徴とするナイフ用のケース。
【請求項１４】
軸体と、前記軸体の先端に装着された刃とを有し、前記軸体の先端に前記刃を覆うキャップを装着するナイフ用のケースであって、
前記キャップの差込口を有する基端が上方に位置するように前記キャップを着脱可能に取り付ける第１の取付部を設けるとともに、
前記第１の取付部を、前記キャップの先端が下面より下方に位置するように前記キャップを取付可能に形成した
ことを特徴とするナイフ用のケース。
【請求項１５】
軸体と、前記軸体の先端に装着された刃とを有し、前記軸体の先端に前記刃を覆うキャップを装着するナイフ用のケースであって、
前記キャップの差込口を有する基端が上方に位置するように前記キャップを着脱可能に取り付ける第１の取付部を設けるとともに、
前記第１の取付部に、前記キャップの取付状態で前記キャップ内に位置し、前記差込口から前記キャップ内に差し込んだ前記ナイフに干渉して、前記ナイフが前記キャップの装着位置まで差し込まれることを阻止する干渉部を設けた
ことを特徴とするナイフ用のケース。
【請求項１６】
軸体と、前記軸体の先端に装着された刃とを有し、前記軸体の先端に前記刃を覆うキャップを装着するナイフ用のケースであって、
前記キャップの差込口を有する基端が上方に位置するように前記キャップを着脱可能に取り付ける第１の取付部を設けるとともに、
前記第１の取付部への前記キャップの取付方向に直交する方向を取付方向とした第２の取付部を設けた
ことを特徴とするナイフ用のケース。
【発明の詳細な説明】
【技術分野】
【０００１】
本発明は、ペン型ナイフ、キャップおよびケースを有するナイフセット、および、ナイフ用のケースに関する。
【背景技術】
【０００２】
特許文献１には、使用者がペンおよび鉛筆のような筆記具と同様の態様で把持する軸体と、軸体の先端に着脱可能に装着された刃とを備えるペン型ナイフが記載されている。軸体は、軸線に対する直交方向の断面形状が円形状である。そのため、非使用時に机上に置くと、転がって机から落下する可能性があるので、刃が露出していると危険である。よって、この種のナイフには、非使用時にキャップを装着して刃を覆う。
【０００３】
特許文献１に記載されたものを含め、従来のペン型ナイフは、非使用時の転がり落下と、軸体から取り外したキャップの紛失防止について、充分に考慮されていない。この点で従来のペン型ナイフは利便性が十分ではない。
【先行技術文献】
【特許文献】
【０００４】
【特許文献１】実開平５−３５０６０号公報
【発明の概要】
【発明が解決しようとする課題】
【０００５】
本発明は、ペン型ナイフを含むナイフセットの利便性向上を課題とする。
【課題を解決するための手段】
【０００６】
前記課題を解決するため、本発明のナイフセットは、軸体と、前記軸体の先端に装着された刃とを有するナイフと、前記軸体の先端に着脱可能に装着され、前記ナイフの前記刃を覆うキャップと、前記キャップの差込口を有する基端が上方に位置するように前記キャップを着脱可能に取り付ける第１の取付部を有するケースと、を備える。そして、前記ナイフの前記刃は、前記軸体の先端に着脱可能に装着され、前記ケースは、未使用または使用済みの前記刃を収容する収容部を有する構成としている。または、前記第１の取付部は、前記キャップの先端が前記ケースの下面より下方に位置するように前記キャップを取付可能としている。または、前記第１の取付部は、前記キャップの取付状態で前記キャップ内に位置し、前記差込口から前記キャップ内に差し込んだ前記ナイフに干渉して、前記ナイフが前記キャップの装着位置まで差し込まれることを阻止する干渉部を有する構成としている。または、前記ケースに、前記第１の取付部への前記キャップの取付方向に直交する方向を取付方向とした第２の取付部を設けている。
【０００７】
このナイフセットは、ナイフを使用する際には、ナイフからキャップを取り外し、キャップをケースの第１の取付部に取り付ける。これにより、キャップの差込口を上方に位置させたナイフスタンドを形成することができる。そして、ナイフの使用を中断する際には、差込口からキャップに差し込むことで、ナイフを立てた状態で置くことができる。
【発明の効果】
【０００８】
本発明のナイフセットは、キャップをケースに取り付けることにより、ナイフスタンドとすることができるため、ナイフの使用時にキャップが紛失することを防止できる。また、ナイフの使用を中断する際には、ナイフスタンドとしたキャップに差し込むことで、ナイフが転がって机から落下することを確実に防止できる。よって、使用者の利便性を大幅に向上できる。
【図面の簡単な説明】
【０００９】
【図１】本発明の第１実施形態のナイフセットの分解斜視図。
【図２】ナイフの断面図。
【図３Ａ】キャップの断面図。
【図３Ｂ】キャップの断面図斜視図。
【図３Ｃ】カッター刃の一例の平面図。
【図４Ａ】第１収容部を開放したケースの斜視図。
【図４Ｂ】第１および第２収容部を開放したケースの斜視図。
【図４Ｃ】第１および第２収容部を開放したケースの他の斜視図。
【図５】収納前の状態を示す斜視図。
【図６】収納状態を示す斜視図。
【図７】ナイフスタンドとした状態を示す斜視図。
【図８】ナイフスタンドにナイフを立てた状態を示す斜視図。
【図９】ナイフスタンドにナイフを立てた状態を示す側面図。
【図１０】ナイフスタンドにナイフを立てた状態を示す部分断面斜視図。
【図１１Ａ】ナイフスタンド状態のキャップにナイフを立てた状態の断面図。
【図１１Ｂ】ナイフにキャップを装着した状態の断面図。
【図１２】第２実施形態のナイフセットの分解斜視図。
【図１３】第２実施形態のナイフセットの断面図。
【図１４】第３実施形態のナイフセットの分解斜視図。
【図１５】第３実施形態のナイフセットの断面図。
【図１６】第４実施形態のナイフセットの断面図。
【発明を実施するための形態】
【００１０】
以下、本発明の実施の形態を図面を参照して説明する。
【００１１】
（第１実施形態）
図１は、本発明の第１実施形態に係るナイフセット１を示す。このナイフセット１は、ナイフ１０とキャップ１８と替え刃ケース（ケース）２９とを備える。替え刃ケース２９に対してキャップ１８をナイフスタンド状態と収納状態の２形態で取付可能とし、使用者の利便性を向上している。
【００１２】
図１および図２に示すように、ナイフ１０は、ペン型ナイフ（デザインナイフ）である。具体的には、ナイフ１０は、軸線に直交する断面形状が円形状の軸体１１を備える。また、ナイフ１０は、軸体１１の先端に装着される刃１２を備える。軸体１１の先端には、刃１２を着脱可能に装着するための刃装着部１３が形成されている。刃装着部１３は、刃１２を挟持する一対の挟持部１４ａ，１４ｂと、軸体１１のネジ穴部１１ａに締め付けられるネジ軸部１５とを備える。また、挟持部１４ａ，１４ｂと軸体１１の下端との間には、円筒状のグリップ１６が配設されている。グリップ１６の外径は軸体１１の外径と同一である。グリップ１６の外周部下側には、先端に向けて断面積が小さくなるように縮径した縮径部１７が形成される。
【００１３】
軸体１１のネジ穴部１１ａに対してネジ軸部１５を締め付けると、挟持部１４ａ，１４ｂが互いに近づき、これらの挟持部１４ａ，１４ｂに刃１２を保持できる。逆に、軸体１１のネジ穴部１１ａに対するネジ軸部１５の締め付けを緩めると、挟持部１４ａ，１４ｂが互いに離れ、これら挟持部１４ａ，１４ｂによる刃１２の保持が解除される。
【００１４】
図５に最も明瞭に示すように、キャップ１８は、非使用時にナイフ１０の先端に着脱可能に装着され、刃１２を覆う。図１および図３Ａ，Ｂに示すように、キャップ１８を装着したナイフ１０が配置面（例えば机の上面）Ｄ上で転がるのを防止するために、キャップ１８は四角筒状に形成されている。４面の外壁１９ａ〜１９ｄにより、基端に差込口２１を有し、先端に閉塞部２２を有する四角形状の装着穴部２０が画定される。差込口２１では、対向する外壁１９ａ，１９ｃおよび外壁１９ｂ，１９ｄの内面間の距離が、ナイフ１０の軸体１１の外径より僅かに大きい。また、装着穴部２０内には、外壁１９ａ，１９ｃの中央に圧接リブ２３が突設されている。圧接リブ２３は、グリップ１６の縮径部１７を圧接可能な傾斜角度に設定される。この圧接位置まで差し込まれると、ナイフ１０とキャップ１８とが分離困難な正規装着状態になる。一対の外壁１９ａ，１９ｃの先端側外面に傾斜面２４が形成され、キャップ１８の先端が三角柱形状に形成されている。なお、圧接リブ２３は、外壁１９ａ〜１９ｄの全てに設けてもよい。また、各外壁１９ａ〜１９ｄに形成する圧接リブ２３の数、横幅および傾斜角度も希望に応じて変更が可能である。
【００１５】
キャップ１８には、後述する替え刃ケース２９のスタンド用取付部４５への取付方向に沿って延びる一対のガイド溝部２５，２５が形成されている。具体的には、ガイド溝部２５，２５は、外壁１９ａ，１９ｃの傾斜面２４，２４に、差込口２１へ向けて軸線に沿って平行に延びるように設けられた凹状溝である。個々のガイド溝部２５は、外壁１９ａ，１９ｃに対して直交方向に延びる一対の側壁２５ａ，２５ａと、側壁２５ａ，２５ａ間に延びる底壁２５ｂで画定される。ガイド溝部２５の差込口２１側の端部には、対向する底壁２５ｂ，２５ｂを貫通した矩形状の貫通穴部２７が設けられている。なお、貫通穴部２７の上縁に前述した圧接リブ２３が形成されている。
【００１６】
キャップ１８には、先端から基端に向けて延びる折刃溝２８が設けられている。この折刃溝２８は、図３Ｃに示すカッター刃の刃１２を折ってナイフ１０に使用するために用いられる。なお、カッター刃は、斜めに延びる複数の切断溝１２ａを形成することにより、複数の刃１２が画定されている。また、薄く扁平なキャップ１８の先端は、ヘラとして使用できる。
【００１７】
図１および図４Ａ，Ｂ，Ｃに示すように、替え刃ケース２９は、上方から見た横寸法Ｗおよび縦寸法Ｌが、上面から下面までの高さ寸法Ｈより大きい矩形状ボックスである。替え刃ケース２９は、底壁３０から外周壁３１ａ〜３１ｄを立設した上端開口のケースである。これらの壁３０，３１ａ〜３１ｄで囲まれた内部空間は、互いに対向する外周壁３１ａ，３１ｃにかけて縦方向Ｌに延びる隔壁３２によって仕切られている。本実施形態では、隔壁３２によって仕切られた一方の空間をナイフ１０の替え刃（未使用の刃）１２Ａを収容する第１収容部３３とし、他方の空間をナイフ１０の使用済み刃１２Ｂを収容する第２収容部３４としている。
【００１８】
各収容部３３，３４の上端開口は、蓋３５，３９により開放可能に閉塞される。第１収容部３３用の第１蓋３５は、外周壁３１ａに薄肉のヒンジ接続部３６を介して連結されている。第１蓋３５の先端にはロック片３７が設けられている。このロック片３７を外周壁３１ｃの外側面の突起３８に係合することで、第１蓋３５で第１収容部３３を閉じた状態に保持できる。第２蓋３９は、外周壁３１ｃに薄肉のヒンジ接続部４０を介して連結されている。第２蓋３９の先端には、弾性的に撓む係合片４１が設けられている。この係合片４１を外周壁３１ａの内側面からロック孔４２に係合することで、第２蓋３９で第２収容部３４を閉じた状態に保持できる。また、第２蓋３９の外面には凹部４３が設けられ、この凹部４３に使用済み刃１２Ｂを第２収容部３４へ挿入する挿入口４４が設けられている。さらに、第１蓋３５には、第２蓋３９の閉塞状態で凹部４３に重畳して挿入口４４を閉塞する挿入口用蓋部３５ａが突設されている。
【００１９】
替え刃ケース２９には、第２収容部３４の外周部である外周壁３１ｄの中央に位置するように、スタンド用取付部（第１の取付部）４５が設けられている。このスタンド用取付部４５は、キャップ１８を取り付けると、図８および図９に示すように、上面である第２蓋３９から上方にキャップ１８の差込口２１側を突出させるとともに、下面である底壁３０から下方にキャップ１８の閉塞部２２側を突出させることができる。
【００２０】
具体的には、スタンド用取付部４５は、図１に示すように、上面である第２蓋３９から下面である底壁３０にかけて貫通する第１および第２挿通部４６ａ，４６ｂを有する孔状である。第１挿通部４６ａは、一対のガイド溝２５，２５の側壁２５ａ，２５ａの部分を挿通可能な孔幅である。第２挿通部４６ｂは、第１挿通部４６ａに連通し、第１挿通部４６ａより小さい孔幅であり、一対のガイド溝部２５，２５の底壁２５ｂ，２５ｂの部分を挿通する。また、第２挿通部４６ｂは、第１挿通部４６ａから側縁にかけて幅方向Ｗに延びて開放されている。
【００２１】
スタンド用取付部４５には、第２挿通部４６ｂの両側にキャップ１８のガイド溝部２５に嵌まるガイド突部４７が形成される。ガイド突部４７は、後述する収納用取付部５１の保持枠５２ａ，５３ａの端部により構成される。ガイド突部４７の先端は、キャップ１８の取付時にガイド溝部２５の底壁２５ｂに摺接し、キャップ１８の取付状態で貫通穴部２７を通してキャップ１８内に位置する。これによりガイド突部４７は、差込口２１からキャップ１８内に差し込んだナイフ１０に干渉し、ナイフ１０がキャップ１８の装着位置まで差し込まれることを阻止する干渉部を構成する。
【００２２】
外周壁３１ｄは、第１挿通部４６ａの縁に沿って立設される枠壁４８を備える。この枠壁４８により第２収容部３４内と第１挿通部４６ａ内とが仕切られている。また、第１挿通部４６ａの下端には、キャップ１８が逆向きに装着されることを防止するために、底壁３０に沿って延びる誤装着防止リブ４９が設けられている。
【００２３】
本実施形態のスタンド用取付部４５は、キャップ１８の先端を替え刃ケース２９の下面から突出させた状態で、キャップ１８を取り付ける。これにより、図９に示すように、キャップ１８の先端と替え刃ケース２９の外周壁３１ｂの下端縁とを配置面Ｄ上に配置して、キャップ１８を傾斜させて配置可能としている。本実施形態では、ナイフスタンド状態での安定性を高めるために、スタンド用取付部４５の反対側に位置する外周壁３１ｂの下端縁に、角部を面取りした平面状の支持部５０が設けられている。支持部５０は、配置面Ｄと平行に延びて面接触する角度で形成されている。
【００２４】
配置面Ｄに対するキャップ１８の傾斜角度αは、ナイフ１０をキャップ１８に装着した状態で転倒することなく、安定したスタンド状態を維持できる範囲で設定される。具体的には、キャップ１８に装着したナイフ１０の重心Ｇが、配置面Ｄ上に配置したキャップ１８の先端と、替え刃ケース２９の支持部５０の外端との間の支持範囲Ｓ内に位置するように、キャップ１８の傾斜角度αを設定する。言い換えれば、ナイフ１０の重心Ｇが支持範囲Ｓ内に位置するように、替え刃ケース２９の下面からのキャップ１８の先端の突出寸法、および、替え刃ケース２９の幅寸法Ｗを設定する。なお、ナイフ１０の重心Ｇは、支持範囲Ｓの中央付近に設定することが好ましい。また、本実施形態のキャップ１８の傾斜角度αは６０度である。
【００２５】
替え刃ケース２９には、第２収容部３４の外周部である外周壁３１ｄに収納用取付部（第２の取付部）５１が更に設けられている。図６に示すように、収納用取付部５１は、キャップ１８の差込口２１を有する基端から閉塞部２２を有する先端にかけたキャップ１８全体を、替え刃ケース２９の上面から下面の間に位置するように取り付ける。収納用取付部５１へのキャップ１８の取付方向は、スタンド用取付部４５への取付方向と直交する方向である。
【００２６】
具体的には、図１に示すように、替え刃ケース２９の上面である第２蓋３９および下面である底壁３０から外向きに突出する保持枠５２ａ，５２ｂ，５３ａ，５３ｂを備える。第１保持枠５２ａ，５２ｂはスタンド用取付部４５の左側から突設され、第２保持枠５３ａ，５３ｂはスタンド用取付部４５の右側から突設される。第１保持枠５２ａ，５２ｂと第２保持枠５３ａ，５３ｂの間の隙間が、第２挿通部４６ｂを構成する。第２保持枠５３ａ，５３ｂには、右側端部を閉塞するリブ５４が形成されている。また、第２保持枠５３ａ，５３ｂには、キャップ１８のガイド溝部２５の側壁２５ａに係合するガイド壁部５５ａ，５５ｂが突設されている。
【００２７】
次に、本実施形態のナイフセット１の使用方法について説明する。なお、ナイフ１０、キャップ１８および替え刃ケース２９は、１組に纏めてセット販売する場合と、ナイフ１０とキャップ１８とはセット販売して替え刃ケース２９は別売りする場合とがある。
【００２８】
図５に示すように、ナイフ１０を使用しない時には、ナイフ１０の先端にキャップ１８を装着し、刃１２を覆う。図６に示すように、先端が開放された収納用取付部５１の第１保持枠５２ａ，５２ｂの間にキャップ１８を配置する。そして、キャップ１８の先端から第２保持枠５３ａ，５３ｂ間へ差し込み、側壁２５ａをガイド壁部５５ａ，５５ｂに係合させる。これにより、ナイフ１０とキャップ１８と替え刃ケース２９とからなるナイフセット１を一体的に纏めることができる。よって、保管時に一部の部品が紛失することを防止できる。また、この収納状態は、キャップ１８の先端および基端が替え刃ケース２９の上下面間に位置するように取り付けられる構成である。よって、全ての部品が横方向に延びるコンパクトな収納状態を実現できる。
【００２９】
ナイフ１０を使用する時には、替え刃ケース２９の収納用取付部５１からキャップ１８と一緒にナイフ１０を取り外す。ついで、ナイフ１０からキャップ１８を取り外した後、図７に示すように、キャップ１８をスタンド用取付部４５に取り付ける。具体的には、キャップ１８を先端からスタンド用取付部４５に挿入し、ガイド溝部２５内にガイド突部４７を位置させる。そして、ガイド突部４７がガイド溝部２５の端に位置するまで、替え刃ケース２９にキャップ１８を差し込む。
【００３０】
これにより、キャップ１８の差込口２１を有する基端が替え刃ケース２９の上面の上方に位置するナイフスタンド状態とすることができる。このナイフスタンド状態では、キャップ１８の閉塞部２２を有する先端が替え刃ケース２９の下面から突出し、配置面Ｄ上に置くとキャップ１８が傾斜した状態となっている。
【００３１】
ナイフ１０の使用を中断する時には、ナイフ１０を差込口２１からキャップ１８に差し込むことで、図８および図９に示すように、ナイフ１０を立てた状態で置くことができる。この際、キャップ１８の装着穴部２０内には、貫通穴部２７を通してスタンド用取付部４５のガイド突部４７が突出している。そのため、図１０および図１１Ａに示すように、ナイフ１０は、挟持部１４ａ，１４ｂの外周面に替え刃ケース２９の干渉部であるガイド突部４７が当接（干渉）すると、それ以上の差し込みが阻止される。この状態では、ナイフ１０の縮径部１７がキャップ１８の圧接リブ２３に圧接されていない（非正規装着状態）。よって、ナイフ１０を再び使用する際に、ナイフ１０だけを簡単に取り外すことができる。なお、正規装着位置は、図１１Ｂに示すように、ナイフ１０の縮径部１７がキャップ１８の圧接リブ２３に圧接されるまで差し込んだ状態である。
【００３２】
このように、本実施形態のナイフセット１は、ナイフ１０を使用する際には、キャップ１８を替え刃ケース２９に取り付けることにより、ナイフスタンドとすることができる。よって、ナイフ１０の使用時にキャップ１８が紛失することを防止できる。しかも、ナイフ１０の使用を中断する際には、ナイフスタンドとしたキャップ１８に差し込むことで、ナイフ１０を立てた状態で置くことができる。よって、ナイフ１０が転がって机から落下することを確実に防止できる。
【００３３】
また、ナイフスタンド状態では、キャップ１８が傾斜しているうえ、キャップ１８に対してナイフ１０を正規装着位置まで装着できないようにしている。よって、キャップ１８に対するナイフ１０の取り付けおよび取り外しが容易であり、使用者の利便性を大幅に向上できる。さらに、キャップ１８に装着したナイフ１０の重心が、配置面Ｄの支持範囲Ｓ内に位置するように、キャップ１８の傾斜角度αを設定しているため、安定状態でナイフ１０を立てることができる。
【００３４】
このように、ナイフセット１は、ナイフ１０の関連商品である替え刃ケース２９に対してキャップ１８を２通りの状態で取付可能としているため、ナイフ１０の使用時および非使用時のいずれでも、キャップ１８が紛失することを確実に防止できる。また、取付部４５，５１へのキャップ１８の取り付けは、ガイド溝部２５にガイド突部４７またはガイド壁部５５ａ，５５ｂを嵌合させるように、キャップ１８を先端から差し込むだけで良いため、作業性を向上できる。
【００３５】
（第２実施形態）
図１２および図１３は第２実施形態のナイフセット１を示す。このナイフセット１は、スタンド用取付部４５を簡素化するとともに、収納用取付部５１を設けていない点で、第１実施形態と相違する。
【００３６】
具体的には、キャップ１８の外壁１９ａ，１９ｃには、傾斜面２４を除く位置に円形状の孔からなる取付穴５６が設けられている。替え刃ケース２９は、一端を開口したケース本体５７と、ケース本体５７の開口を閉塞するスライド蓋５８とを備える。ケース本体５７の内部には替え刃１２Ａが収納され、使用済み刃１２Ｂの収容部は設けられていない。また、本体ケースの開口は、スライド蓋５８のスライドにより開閉可能である。そして、ケース本体５７には、スタンド用取付部４５として、開口と逆側の閉鎖端に、キャップ１８の取付穴５６に取付可能な円柱状取付部５９が突設されている。
【００３７】
この第２実施形態のナイフセット１は、第１実施形態と同様に、ナイフ１０から取り外したキャップ１８を替え刃ケース２９に取り付けることにより、ナイフスタンドを形成することができる。そのため、ナイフ１０の使用時にキャップ１８が紛失することを防止できるとともに、使用中断時にナイフ１０が転がって机から落下することを確実に防止できる。
【００３８】
（第３実施形態）
図１４および図１５は第３実施形態のナイフセット１を示す。このナイフセット１は、スタンド用取付部４５を替え刃ケース２９の中央付近に設けた点で、各実施形態と相違する。スタンド用取付部４５は、一対の第１挿通部４６ａ，４６ａと、これらに連通するように設けた第２挿通部４６ｂを備える。このようにした第３実施形態は、替え刃ケース２９の上面からスタンド用取付部４５にキャップ１８を差し込むことにより、第１実施形態と同様の作用および効果を得ることができる。
【００３９】
（第４実施形態）
図１６は第４実施形態のナイフセット１を示す。このナイフセット１は、スタンド用取付部４５を替え刃ケース２９の中央に設けるとともに、貫通させて取り付けたキャップ１８の軸線が垂直方向に延びるように配置可能とした点で、各実施形態と相違する。具体的には、替え刃ケース２９は、貫通したキャップ１８の先端と一緒に配置面Ｄに載置する支持脚部６０を備えている。支持脚部６０は、替え刃ケース２９に対して図示の突出状態から底壁３０に平行に位置する状態にかけて、回動可能とすることが好ましい。このようにした第４実施形態では、替え刃ケース２９の上面からスタンド用取付部４５にキャップ１８を差し込むことにより、第１実施形態と同様の作用および効果を得ることができる。
【００４０】
なお、本発明のナイフセット１は、前記実施形態に限定されず、種々の変更が可能である。
【００４１】
例えば、ケース２９は、第１実施形態では未使用の替え刃１２Ａと使用済み刃１２Ｂの両方を収容可能とし、第２実施形態では替え刃１２Ａのみを収容可能としたが、使用済み刃１２Ｂのみを収容可能としてもよい。また、刃１２以外を収容するケース１２にスタンド用取付部４５を設ける構成としてもよい。
【００４２】
さらに、前記各実施形態では、ケース２９の下面からキャップ１８の先端を突出させる構成としたが、キャップ１８の先端が突出しない構成としてもよい。さらにまた、前記各実施形態では、刃１２を着脱可能としたナイフ１０を用いたが、刃１２は着脱不可能な固定式であってもよいうえ、刃１２を着脱可能とする構成も前記形態に限定されない。
【００４３】
そして、ナイフスタンドとした状態で、ナイフ１０をキャップ１８の正規装着位置まで装着できなくする構成も種々の変更が可能である。特に、前記実施形態では、スタンド用取付部４５の干渉部であるガイド突部４７および円柱状取付部５９は、ナイフ１０の挟持部１４ａ，１４ｂの外周面に干渉する構成としたが、刃装着部１３の先端面に干渉する構成としてもよく、ナイフ１０の構造に応じて変更することが好ましい。
【符号の説明】
【００４４】
１…ナイフセット
１０…ナイフ
１１…軸体
１２…刃
１２Ａ…替え刃
１２Ｂ…使用済み刃
１３…刃装着部
１８…キャップ
２１…差込口
２２…閉塞部
２５…ガイド溝部
２７…貫通穴部
２９…替え刃ケース
３３…第１収容部（替え刃収容部）
３４…第２収容部（使用済み刃収容部）
４５…スタンド用取付部（第１の取付部）
４６ａ…第１挿通部
４７…ガイド突部（干渉部）
５０…支持部
５１…収納用取付部（第２の取付部）
５２ａ，５２ｂ…第１保持枠
５３ａ，５３ｂ…第２保持枠
５５ａ，５５ｂ…ガイド壁部
Ｄ…配置面（机）
【要約】
【課題】ナイフを使用する際の利便性を向上する。
【解決手段】ナイフセット１は、軸体１１と、軸体１１の先端に装着された刃１２とを有するナイフ１０と、軸体１１の先端に着脱可能に装着され、ナイフ１０の刃１２を覆うキャップ１８と、キャップ１８の差込口２１を有する基端が上面より上方に位置するようにキャップ１８を着脱可能に取り付ける第１の取付部４５とを有するケース２９と、を備える。
【選択図】図１【図１】
0005597280.tif 000002
【図２】
0005597280.tif 000003
【図３Ａ】
0005597280.tif 000004
【図３Ｂ】
0005597280.tif 000005
【図３Ｃ】
0005597280.tif 000006
【図４Ａ】
0005597280.tif 000007
【図４Ｂ】
0005597280.tif 000008
【図４Ｃ】
0005597280.tif 000009
【図５】
0005597280.tif 000010
【図６】
0005597280.tif 000011
【図７】
0005597280.tif 000012
【図８】
0005597280.tif 000013
【図９】
0005597280.tif 000014
【図１０】
0005597280.tif 000015
【図１１Ａ】
0005597280.tif 000016
【図１１Ｂ】
0005597280.tif 000017
【図１２】
0005597280.tif 000018
【図１３】
0005597280.tif 000019
【図１４】
0005597280.tif 000020
【図１５】
0005597280.tif 000021
【図１６】
0005597280.tif 000022